(57)【要約】【課題】固定的に設置される無線ＬＡＮ端末がローミングしてしまうことを抑制すること。【解決手段】通信システム１は、自装置が固定的に設置される固定局であるか否かを示す第１の情報を送信する無線ＬＡＮ端末１０と、第１の情報が固定局であることを示す場合、無線ＬＡＮ端末１０との通信において設定可能な複数の通信レートのうち、最高通信レート及び最低通信レートを含む通信レートを選択すると共に、選択された通信レートに関する第２の情報を無線ＬＡＮ端末に送信するアクセスポイント２０と、を備える。無線ＬＡＮ端末１０は、第２の情報に含まれる通信レートに基づいて通信を試行する。【選択図】図１
2020096274.tif 000002
【特許請求の範囲】
【請求項１】
自装置が固定的に設置される固定局であるか否かを示す第１の情報を送信する無線ＬＡＮ端末と、
前記第１の情報が前記固定局であることを示す場合、前記無線ＬＡＮ端末との通信において設定可能な複数の通信レートのうち、最高通信レート及び最低通信レートを含む通信レートを選択すると共に、前記選択された通信レートに関する第２の情報を前記無線ＬＡＮ端末に送信するアクセスポイントと、を備え、
前記無線ＬＡＮ端末は、前記第２の情報に含まれる通信レートに基づいて通信を試行する、通信システム。
【請求項２】
前記アクセスポイントは、前記最高通信レート及び前記最低通信レートの間の通信レートを示す中間通信レートを選択する、請求項１に記載の通信システム。
【請求項３】
前記アクセスポイントは、複数の前記中間通信レートを選択する、請求項２に記載の通信システム。
【請求項４】
前記無線ＬＡＮ端末は、
前記第２の情報に含まれる通信レートのうちの第１の通信レートで通信が行えない場合、リトライ回数をインクリメントすると共に、前記第１の通信レートより低い第２の通信レートで通信を試行し、
前記リトライ回数が所定回数未満であって、前記最低通信レートで通信が行えない場合、前記リトライ回数が前記所定回数を超過するか又は通信が確立するまで、前記最低通信レートで通信の試行を継続する、請求項１〜３のいずれか１項に記載の通信システム。
【請求項５】
前記アクセスポイントは、前記第１の情報が前記固定局ではないことを示す場合、又は前記第１の情報を受信しない場合、前記無線ＬＡＮ端末との通信において設定可能な全ての通信レートに関する前記第２の情報を前記無線ＬＡＮ端末に送信する、請求項１〜４のいずれか１項に記載の通信システム。
【請求項６】
前記無線ＬＡＮ端末は、前記第１の情報を含むProbe要求メッセージを前記アクセスポイントに送信し、
前記アクセスポイントは、前記第２の情報を含むAssociation応答メッセージを前記無線ＬＡＮ端末に送信する、請求項１〜５のいずれか１項に記載の通信システム。
【請求項７】
無線ＬＡＮ端末が固定的に設置される固定局であるか否かを示す第１の情報を前記無線ＬＡＮ端末から受信する通信部と、
前記第１の情報が前記固定局であることを示す場合、前記無線ＬＡＮ端末との通信において設定可能な複数の通信レートのうち、最高通信レート及び最低通信レートを含む通信レートを選択する選択部と、を備え、
前記通信部は、前記選択された通信レートに関する第２の情報を前記無線ＬＡＮ端末に送信する、アクセスポイント。
【請求項８】
自装置が固定的に設置される固定局であるか否かを示す第１の情報をアクセスポイントに送信すると共に、前記アクセスポイントとの通信に用いる通信レートに関する第２の情報を前記アクセスポイントから受信する通信部と、
前記第２の情報に含まれる通信レートに基づいて通信を試行する通信制御部と、を備える無線ＬＡＮ端末。
【請求項９】
無線ＬＡＮ端末が固定的に設置される固定局であるか否かを示す第１の情報を前記無線ＬＡＮ端末から受信することと、
前記第１の情報が前記固定局であることを示す場合、前記無線ＬＡＮ端末との通信において設定可能な複数の通信レートのうち、最高通信レート及び最低通信レートを含む通信レートを選択することと、
前記選択された通信レートに関する第２の情報を前記無線ＬＡＮ端末に送信することと、を含む通信制御方法。
【請求項１０】
無線ＬＡＮ端末が固定的に設置される固定局であるか否かを示す第１の情報を前記無線ＬＡＮ端末から受信することと、
前記第１の情報が前記固定局であることを示す場合、前記無線ＬＡＮ端末との通信において設定可能な複数の通信レートのうち、最高通信レート及び最低通信レートを含む通信レートを選択することと、
前記選択された通信レートに関する第２の情報を前記無線ＬＡＮ端末に送信することと、をコンピュータに実行させる通信制御プログラム。
【発明の詳細な説明】
【技術分野】
【０００１】
本開示は、通信システム、アクセスポイント、無線ＬＡＮ端末、通信制御方法及び通信制御プログラムに関する。
【背景技術】
【０００２】
無線ＬＡＮ通信システムでは、アクセスポイント及び無線ＬＡＮ（Local Area Network）端末がマルチレート制御と呼ばれる通信レートを切り替える機能を有しており、マルチレート制御に関連する技術が知られている（例えば、特許文献１）。
【０００３】
特許文献１には、アクセスポイント及び無線ＬＡＮ端末間のリンクが成立した際の送受信レートに基づいて、無線ＬＡＮ端末が使用可能な最高送信レート及び最低送信レートを設定することが開示されている。
【先行技術文献】
【特許文献】
【０００４】
【特許文献１】特開２００５−２８６６４２号公報
【発明の概要】
【発明が解決しようとする課題】
【０００５】
ところで、無線ＬＡＮ端末は、現在接続しているアクセスポイントと通信が行えなくなった場合、上記アクセスポイントから別のアクセスポイントに接続し直すローミングを行う。無線ＬＡＮ端末はローミングを行う際に電波強度及び通信リトライ状況に基づいて無線ＬＡＮ端末側でローミングを行うか否かを判定し、ローミングを行う条件に合致した場合、ローミングを行う。
【０００６】
ここで、無線ＬＡＮ端末には、固定的に設置される固定局として用いられる端末が存在する。固定的に設置される無線ＬＡＮ端末は、例えば当該無線ＬＡＮ端末に最も近いアクセスポイント等、同一のアクセスポイントに接続した方が好ましい。つまり、固定的に設置される無線ＬＡＮ端末が、ローミングを行うことを抑制した方が好ましい。
【０００７】
しかしながら、無線ＬＡＮネットワーク全体のシステム構成を考えた場合、設置場所を固定して使用される無線ＬＡＮ端末が、意に反してローミングが発生してしまう場合がある。その理由は、電波強度及び通信リトライは、アクセスポイントが制御することが出来ないため、期待通りのローミング制御が出来ないからである。すなわち、固定的に設置される無線ＬＡＮ端末がローミングを行うことを抑制することが出来ない場合があり得る。
【０００８】
本開示の目的は、上述した課題を解決するためになされたものであり、固定的に設置される無線ＬＡＮ端末がローミングしてしまうことを抑制可能な通信システム、アクセスポイント、無線ＬＡＮ端末、通信制御方法及び通信制御プログラムを提供することである。
【課題を解決するための手段】
【０００９】
本開示にかかる通信システムは、
自装置が固定的に設置される固定局であるか否かを示す第１の情報を送信する無線ＬＡＮ端末と、
前記第１の情報が前記固定局であることを示す場合、前記無線ＬＡＮ端末との通信において設定可能な複数の通信レートのうち、最高通信レート及び最低通信レートを含む通信レートを選択すると共に、前記選択された通信レートに関する第２の情報を前記無線ＬＡＮ端末に送信するアクセスポイントと、を備え、
前記無線ＬＡＮ端末は、前記第２の情報に含まれる通信レートに基づいて通信を試行する、通信システムである。
【００１０】
本開示にかかるアクセスポイントは、
無線ＬＡＮ端末が固定的に設置される固定局であるか否かを示す第１の情報を前記無線ＬＡＮ端末から受信する通信部と、
前記第１の情報が前記固定局であることを示す場合、前記無線ＬＡＮ端末との通信において設定可能な複数の通信レートのうち、最高通信レート及び最低通信レートを含む通信レートを選択する選択部と、を備え、
前記通信部は、前記選択された通信レートに関する第２の情報を前記無線ＬＡＮ端末に送信する、アクセスポイントである。
【００１１】
本開示にかかる無線ＬＡＮ端末は、
自装置が固定的に設置される固定局であるか否かを示す第１の情報をアクセスポイントに送信すると共に、前記アクセスポイントとの通信に用いる通信レートに関する第２の情報を前記アクセスポイントから受信する通信部と、
前記第２の情報に含まれる通信レートに基づいて通信を試行する通信制御部と、を備える無線ＬＡＮ端末である。
【００１２】
本開示にかかる通信制御方法は、
無線ＬＡＮ端末が固定的に設置される固定局であるか否かを示す第１の情報を前記無線ＬＡＮ端末から受信することと、
前記第１の情報が前記固定局であることを示す場合、前記無線ＬＡＮ端末との通信において設定可能な複数の通信レートのうち、最高通信レート及び最低通信レートを含む通信レートを選択することと、
前記選択された通信レートに関する第２の情報を前記無線ＬＡＮ端末に送信することと、を含む通信制御方法である。
【００１３】
本開示にかかる通信制御プログラムは、
無線ＬＡＮ端末が固定的に設置される固定局であるか否かを示す第１の情報を前記無線ＬＡＮ端末から受信することと、
前記第１の情報が前記固定局であることを示す場合、前記無線ＬＡＮ端末との通信において設定可能な複数の通信レートのうち、最高通信レート及び最低通信レートを含む通信レートを選択することと、
前記選択された通信レートに関する第２の情報を前記無線ＬＡＮ端末に送信することと、をコンピュータに実行させる通信制御プログラムである。
【発明の効果】
【００１４】
本開示によれば、固定的に設置される無線ＬＡＮ端末がローミングしてしまうことを抑制可能な通信システム、アクセスポイント、無線ＬＡＮ端末、通信制御方法及び通信制御プログラムを提供することができる。
【図面の簡単な説明】
【００１５】
【図１】実施の形態１にかかる通信システムの構成例を示す図である。
【図２】実施の形態２にかかる通信システムの構成例を示す図である。
【図３】ＣＬがＡＰに接続する際の動作例を説明する図である。
【図４】実施の形態２にかかるＡＰの動作例を説明する図である。
【図５】実施の形態２にかかる通信システムの動作例を説明する図である。
【図６】実施の形態２にかかる通信システムの動作例を説明する図である。
【図７】本開示の各実施の形態にかかる無線ＬＡＮ端末等のハードウェア構成を例示するブロック図である。
【発明を実施するための形態】
【００１６】
以下、図面を参照して本開示の実施の形態について説明する。なお、以下の記載及び図面は、説明の明確化のため、適宜、省略及び簡略化がなされている。また、以下の各図面において、同一の要素には同一の符号が付されており、必要に応じて重複説明は省略されている。
【００１７】
（実施の形態１）
図１を用いて実施の形態１について説明する。図１は、実施の形態１にかかる通信システムの構成例を示す図である。通信システム１は、無線ＬＡＮ通信システムである。通信システム１は、無線ＬＡＮ端末１０と、アクセスポイント（ＡＰ：Access Point）２０とを備える。
【００１８】
無線ＬＡＮ端末１０は、アクセスポイント２０と接続処理（帰属処理）を行い、アクセスポイント２０と無線通信を行う。無線ＬＡＮ端末１０は、アクセスポイント２０を無線親機とする無線子局と称されてもよいし、クライアント（ＣＬ：Client）と称されてもよい。
【００１９】
無線ＬＡＮ端末１０は、通信部１１と、通信制御部１２とを備える。
通信部１１は、自装置が固定的に設置される固定局であるか否かを示す第１の情報をアクセスポイント２０に送信する。また、通信部１１は、アクセスポイント２０との通信に用いる通信レートに関する第２の情報をアクセスポイント２０から受信する。
【００２０】
第１の情報は、自装置が固定的に設置される固定局であることを示す情報を含む。第１の情報は、自装置が移動して使用される端末であるか、又は移動して使用される予定がある端末である移動局であることを示す情報を含んでもよい。換言すると、第１の情報が移動局であることを示す場合、第１の情報は、固定局ではないことを示す情報となる。
【００２１】
第２の情報は、無線ＬＡＮ端末１０と、アクセスポイント２０とが設定可能な複数の通信レートのうち、無線ＬＡＮ端末１０と、アクセスポイント２０との通信において用いられる通信レートに関する情報である。設定可能な通信レートは、無線ＬＡＮ端末１０及びアクセスポイント２０の両方がサポート可能な通信レートであってもよい。
【００２２】
通信制御部１２は、第２の情報に含まれる通信レートに基づいてアクセスポイント２０との通信を試行する。
【００２３】
アクセスポイント２０は、通信部２１と、選択部２２とを備える。
通信部２１は、第１の情報を無線ＬＡＮ端末１０から受信すると共に、後述する選択部２２が選択した通信レートに関する第２の情報を無線ＬＡＮ端末１０に送信する。
【００２４】
選択部２２は、第１の情報に基づいて、無線ＬＡＮ端末１０との通信において設定可能な複数の通信レートから、通信において用いられる通信レートを選択する。選択部２２は、第１の情報が固定局であることを示す場合、無線ＬＡＮ端末１０との通信において設定可能な複数の通信レートのうち、最も高い通信レート（最高通信レート）及び最も低い通信レート（最低通信レート）を含む通信レートを選択する。つまり、選択部２２は、無線ＬＡＮ端末１０との通信において設定可能な複数の通信レートのうちの一部の通信レートを選択する。
【００２５】
以上説明したように、無線ＬＡＮ端末１０は、自装置が固定局であるか否かに関する第１の情報をアクセスポイント２０に送信する。アクセスポイント２０は、無線ＬＡＮ端末１０が固定局である場合、通信において設定可能な通信レートの全てを選択せず、最高通信レート及び最低通信レートを含む一部の通信レートのみを選択する。
【００２６】
ここで、無線通信では、通信レートが低い程、通信が確立し易いという特性を有している。上記のように、アクセスポイント２０は、固定局である無線ＬＡＮ端末１０に対して、通信において設定可能な全ての通信レートを選択せずに、一部の通信レートを選択している。そのため、無線ＬＡＮ端末１０及びアクセスポイント２０は、通信において設定可能な全ての通信レートを選択する場合と比較して、低い通信レートを用いた通信を行う可能性が高くなり、通信を確立し易くなる。通信が確立し易くなるということは、通信リトライが発生しにくくなるので、ローミングが発生することを抑制することが可能となる。したがって、実施の形態１にかかる通信システム１によれば、固定的に設置される無線ＬＡＮ端末がローミングしてしまうことを抑制することが可能となる。
【００２７】
（実施の形態２）
続いて、実施の形態２について説明する。実施の形態２は、実施の形態１を詳細にした実施の形態である。
＜通信システムの構成例＞
図２を用いて、実施の形態２にかかる通信システム１００の構成例について説明する。図２は、実施の形態２にかかる通信システムの構成例を示す図である。
【００２８】
通信システム１００は、実施の形態１と同様に無線ＬＡＮ通信システムである。通信システム１００は、ＣＬ３０、ＣＬ４０及びＡＰ５０を備える。なお、通信システム１００は、ＣＬ３０及びＣＬ４０の２つの無線ＬＡＮ端末を備える構成であるが、通信システム１００は、１つ以上の無線ＬＡＮ端末を備える構成であればよい。
【００２９】
ＣＬ３０及びＣＬ４０は、実施の形態１における無線ＬＡＮ端末１０に対応する無線ＬＡＮ端末である。ＣＬ３０及びＣＬ４０は、ＡＰ５０と接続処理を行い、ＡＰ５０と無線通信を行うクライアントである。ＣＬ３０及びＣＬ４０は、ＡＰ５０を無線親機とする無線子局と称されてもよい。ＣＬ３０及びＣＬ４０は、例えば、携帯電話端末、スマートフォン端末、タブレット型端末、パーソナルコンピュータ装置、無線ルータ等であってもよい。
【００３０】
ＣＬ３０及びＣＬ４０は、無線ＬＡＮ規格のうち、５ＧＨｚの周波数帯を使用するＩＥＥＥ（Institute of Electrical and Electronics Engineers）８０２．１１ａをサポートする無線ＬＡＮ端末である。ＣＬ３０及びＣＬ４０は、上記無線ＬＡＮ規格がサポートする、６Ｍｂｐｓ、９Ｍｂｐｓ、１２Ｍｂｐｓ、１８Ｍｂｐｓ、２４Ｍｂｐｓ、３６Ｍｂｐｓ、４８Ｍｂｐｓ及び５４Ｍｂｐｓの通信レートをサポートする。
【００３１】
なお、当然ながら、ＣＬ３０及びＣＬ４０がサポートする無線ＬＡＮ規格及び通信レートは一例である。そのため、ＣＬ３０及びＣＬ４０は、ＩＥＥＥ８０２．１１ｇをサポートしてもよいし、６００Ｍｂｐｓまでの通信レートをサポートするＩＥＥＥ８０２．１１ｎをサポートしてもよい。もしくは、ＣＬ３０及びＣＬ４０は、６９３０Ｍｂｐｓの通信レートをサポートするＩＥＥＥ８０２．１１ａｃをサポートしてもよいし、ＩＥＥＥ８０２．１１ａｘをサポートしてもよい。
【００３２】
ＣＬ３０は、設置状態が固定的である固定局として運用される無線ＬＡＮ端末である。ＣＬ４０は、移動して使用されるか又は移動して使用される予定がある移動局として運用される無線ＬＡＮ端末である。ＣＬ３０及びＣＬ４０は、後述する機能部を有する無線ＬＡＮ端末であればよいため、同一の構成を有する無線ＬＡＮ端末であってもよいし、異なる構成を有する無線ＬＡＮ端末であってもよい。なお、説明を簡略化するために、ＣＬ３０及びＣＬ４０は、同一の構成を有する無線ＬＡＮ端末であるとして以降の説明を行う。
【００３３】
ＡＰ５０は、実施の形態１にかかるアクセスポイント２０に対応する。ＡＰ５０は、ＣＬ３０及びＣＬ４０を無線子局とする無線親機である。ＡＰ５０は、例えば、無線基地局装置、無線ルータを含む無線通信装置、無線中継装置等であってもよい。ＡＰ５０は、無線ＬＡＮ規格のうち、５ＧＨｚの周波数帯を使用するＩＥＥＥ８０２．１１ａをサポートする。ＡＰ５０は、上記無線ＬＡＮ規格がサポートする、６Ｍｂｐｓ、９Ｍｂｐｓ、１２Ｍｂｐｓ、１８Ｍｂｐｓ、２４Ｍｂｐｓ、３６Ｍｂｐｓ、４８Ｍｂｐｓ及び５４Ｍｂｐｓの通信レートをサポートする。
【００３４】
なお、当然ながら、ＡＰ５０がサポートする無線ＬＡＮ規格及び通信レートは一例である。ＡＰ５０は、ＣＬ３０及びＣＬ４０がサポートする無線ＬＡＮ規格及び通信レートをサポートしていればよい。そのため、ＡＰ５０は、ＩＥＥＥ８０２．１１ｇをサポートしてもよいし、ＩＥＥＥ８０２．１１ｎをサポートしてもよい。もしくは、ＡＰ５０は、ＩＥＥＥ８０２．１１ａｃをサポートしてもよいし、ＩＥＥＥ８０２．１１ａｘをサポートしてもよい。
【００３５】
＜ＣＬ（クライアント）の構成例＞
次に、ＣＬ３０及びＣＬ４０の構成例について説明する。上述したように、ＣＬ３０及びＣＬ４０は、同じ構成を有する無線ＬＡＮ端末であるので、まず、ＣＬ３０の構成例を説明する。その後、ＣＬ４０の構成例について、ＣＬ３０と同様の構成に関する説明を適宜割愛しながら説明する。
【００３６】
ＣＬ３０の構成例について説明する。ＣＬ３０は、通信部３１と、通信制御部３２とを備える。
通信部３１は、実施の形態１にかかる通信部１１に対応する。通信部３１は、ＡＰ５０に接続（帰属）するときに、Probe要求メッセージに、自装置が固定局であるか、又は移動局であるかを示す固定局／移動局情報を含めてＡＰ５０に送信する。ＣＬ３０は、固定局であるため、「固定局」を設定した固定局／移動局情報を含むProbe要求メッセージをＡＰ５０に送信する。
【００３７】
また、通信部３１は、ＡＰ５０に接続（帰属）するときに、使用通信レート情報を含むAssociation応答メッセージを受信する。通信部３１は、使用通信レート情報をAssociation応答メッセージから取得する。使用通信レート情報は、ＣＬ３０及びＡＰ５０がサポートする通信レートのうち、ＡＰ５０が選択した通信レートに関する情報である。
【００３８】
通信制御部３２は、実施の形態１にかかる通信制御部１２に対応する。通信制御部３２は、ＡＰ５０に接続が完了した直後、及びＡＰ５０との通信が確立した後に切断された直後に、使用通信レート情報に含まれる通信レートに基づいてＡＰ５０との通信を試行する。具体的には、通信制御部３２は、使用通信レート情報に含まれる通信レートのうち、通信レートが高い方から順に選択して、選択した通信レートを用いて、ＡＰ５０との通信を試行する。
【００３９】
例えば、使用通信レート情報に、最高通信レートである５４Ｍｂｐｓ、最高通信レート及び最低通信レートの間の中間通信レートである２４Ｍｂｐｓ及び最低通信レートである６Ｍｂｐｓが設定されているとする。通信制御部３２は、最初に５４Ｍｂｐｓを選択して、５４Ｍｂｐｓの通信レートを用いてＡＰ５０との通信を試行する。５４Ｍｂｐｓの通信レートでＡＰ５０と通信が確立出来なかった場合、通信制御部３２は、リトライ回数をインクリメントし、再度、５４Ｍｂｐｓを選択して、５４Ｍｂｐｓの通信レートを用いてＡＰ５０との通信を試行する。
【００４０】
通信が確立出来なかった場合、通信制御部３２は、リトライ回数をインクリメントし、次に２４Ｍｂｐｓを選択して、２４Ｍｂｐｓの通信レートを用いてＡＰ５０との通信を試行する。２４Ｍｂｐｓの通信レートでＡＰ５０と通信が確立出来なかった場合、通信制御部３２は、リトライ回数をインクリメントし、次に６Ｍｂｐｓを選択して、６Ｍｂｐｓの通信レートを用いてＡＰ５０との通信を試行する。さらに、通信制御部３２は、ローミングが行われるリトライ回数未満であって、最低通信レートで通信が行えない場合、リトライ回数が前記所定回数を超過するか又は通信が確立するまで、最低通信レートで通信の試行を継続する。
【００４１】
上記のように、通信制御部３２は、最高通信レートである５４Ｍｂｐｓの場合のみ１回の通信のリトライを行う。なお、通信制御部３２は、中間通信レートを用いてＡＰ５０と通信が確立しなかった場合、中間通信レートを用いて通信のリトライを行ってもよい。
【００４２】
次に、ＣＬ４０の構成例について説明する。ＣＬ４０は、通信部４１と、通信制御部４２とを備える。通信部４１は、通信部３１と同一の構成を有し、通信制御部４２は、通信制御部３２と同一の構成を有するので、重複する説明は割愛する。ＣＬ３０及びＣＬ４０は、固定局であるか移動局であるかの差分である。つまり、ＣＬ４０に関する以下の説明は、無線ＬＡＮ端末が移動局である場合の構成についての説明である。
【００４３】
通信部４１は、ＣＬ４０が移動局であるため、「移動局」を設定した固定局／移動局情報を含むProbe要求メッセージをＡＰ５０に送信する。
【００４４】
通信制御部４２は、ＡＰ５０に接続が完了した直後、及びＡＰ５０との通信が確立した後に切断された直後に、使用通信レート情報に含まれる通信レートのうち、高い方から順に選択して、選択した通信レートを用いて、ＡＰ５０との通信を試行する。通信制御部４２は、通信が行えなかった場合、各通信レートについて、１回ずつのリトライを行う。
【００４５】
＜ＡＰ（アクセスポイント）の構成例＞
次に、ＡＰ５０の構成例について説明する。ＡＰ５０は、通信部５１と、選択部５２と、通信制御部５３とを備える。
【００４６】
通信部５１は、実施の形態１にかかる通信部２１に対応する。通信部５１は、ＣＬ３０及びＣＬ４０が接続（帰属）するときに、固定局／移動局情報を含むProbe要求メッセージを受信する。通信部５１は、Probe要求メッセージから固定局／移動局情報を取得する。
【００４７】
また、通信部５１は、後述する選択部５２が選択した通信レートに関する情報を使用通信レート情報に設定して、使用通信レート情報を含むAssociation応答メッセージをＣＬ３０及びＣＬ４０に送信する。
【００４８】
選択部５２は、実施の形態１にかかる選択部２２に対応する。選択部５２は、通信部５１が取得した固定局／移動局情報に基づいて、ＣＬ３０及びＣＬ４０との通信において設定可能な複数の通信レートの中からＣＬ３０及びＣＬ４０との通信に使用する通信レートを選択する。具体的には、選択部５２は、通信部５１が取得した固定局／移動局情報に基づいて、ＣＬ３０及びＣＬ４０と、ＡＰ５０とがサポートする通信レートの中から通信に使用する通信レートを選択する。
【００４９】
選択部５２は、固定局／移動局情報が「移動局」である場合、ＣＬ４０と、ＡＰ５０とがサポートする全ての通信レートを選択する。
【００５０】
選択部５２は、固定局／移動局情報が「固定局」である場合、ＣＬ３０と、ＡＰ５０とがサポートする通信レートのうち、最高通信レートである５４Ｍｂｐｓ、中間通信レートである２４Ｍｂｐｓ及び最低通信レートである６Ｍｂｐｓの通信レートを選択する。
【００５１】
なお、本実施の形態では、選択部５２は、中間通信レートを１つのみ選択するが、５つ以下の複数の中間通信レートを選択してもよいし、中間通信レートとして選択する通信レートを２４Ｍｂｐｓ以外の他の通信レートとしてもよい。もしくは、選択部５２は、中間通信レートを選択せずに、最高通信レート及び最低通信レートの２つの通信レートを選択するようにしてもよい。
【００５２】
通信制御部５３は、ＣＬ３０及びＣＬ４０との通信を制御する制御部である。通信制御部５３は、ＣＬ３０及びＣＬ４０に送信した使用通信レートを管理し、ＣＬ３０及びＣＬ４０から通信が試行された場合、使用通信レートのうち、ＣＬ３０及びＣＬ４０が用いている通信レートを判断する。通信制御部５３は、ＣＬ３０及びＣＬ４０が用いている通信レートで通信が確立出来る場合、通信を確立する。通信制御部５３は、ＣＬ３０及びＣＬ４０からの通信が試行され、ＣＬ３０及びＣＬ４０からの送信データのうちの一部のデータが受信出来なかった場合、通信が確立出来ないことを示す情報及びメッセージの少なくとも一方をＣＬ３０及びＣＬ４０に送信する。
【００５３】
＜通信システムの動作例＞
続いて、図３〜図６を用いて、実施の形態２にかかる通信システム１００の動作例について説明する。
【００５４】
まず、図３について説明する。図３は、ＣＬがＡＰに接続する際の動作例を説明する図である。なお、ＣＬ３０及びＣＬ４０は、基本的に同様の動作を行うため、ＣＬ３０を用いて説明し、ＣＬ４０の動作がＣＬ３０と異なる場合、ＣＬ４０についても説明する。
【００５５】
まず、ＣＬ３０の通信部３１は、ＡＰ５０に接続するために、Probe要求メッセージをＡＰ５０の通信部５１に送信する（ステップＳ１）。通信部３１は、接続を要求するＳＳＩＤ（Service Set Identifier）であるかどうかをＡＰ５０に問合せるためにProbe要求メッセージを送信する。また、通信部３１は、自装置が固定局であるか移動局であるかの情報を、固定局／移動局情報に設定して、Probe要求メッセージに固定局／移動局情報を含めて通信部５１に送信する。通信部５１は、Probe要求メッセージを受信すると、固定局／移動局情報を取得する。
【００５６】
ＣＬ３０がＡＰ５０に接続する場合、通信部３１は、固定局／移動局情報に「固定局」を設定してProbe要求メッセージに含めてＡＰ５０に送信する。一方、ＣＬ４０がＡＰ５０に接続する場合、通信部４１は、固定局／移動局情報に「移動局」を設定してProbe要求メッセージに含めてＡＰ５０の通信部５１に送信する。
【００５７】
次に、ＡＰ５０の通信部５１は、Probe要求メッセージに含まれるＳＳＩＤがＡＰ５０のＳＳＩＤと一致している場合、Probe応答メッセージをＣＬ３０の通信部３１に送信する（ステップＳ２）。
【００５８】
次に、ＣＬ３０及びＡＰ５０は、認証情報のやり取りを行うために、通信部３１は、Authenticationリクエストメッセージを通信部５１に送信し（ステップＳ３）、通信部５１は、Authentication応答メッセージを通信部３１に送信する（ステップＳ４）。
【００５９】
次に、通信部３１は、通信部５１への接続要求として、Associationリクエストメッセージを通信部５１に送信する（ステップＳ５）。
【００６０】
ここで、選択部５２は、Probe要求メッセージに含まれる固定局／移動局情報に基づいて、ＣＬ３０との通信に用いる通信レートを選択し、選択した通信レートを通信部５１に通知する。そして、通信部５１は、通知された通信レートに関する情報を使用通信レート情報に設定して、Association応答メッセージに含めて通信部３１に送信する（ステップＳ６）。なお、Associationリクエスト及びAssociation応答のやり取りにおいて、ＣＬ３０及びＡＰ５０は、接続における暗号化等使用するセキュリティ設定を取り交わす。
【００６１】
最後に、ステップＳ１〜ステップＳ６までの動作が成立すると、通信部３１と通信部５１との接続が完了する（ステップＳ７）。
【００６２】
次に、図４を用いて、ＡＰ５０の動作例について説明する。図４は、実施の形態２にかかるＡＰの動作例を説明する図である。具体的には、図４は、通信部５１がProbe要求メッセージを受信して、Association応答メッセージをＣＬ３０又はＣＬ４０に送信するまでに実行される動作例である。
【００６３】
まず、通信部５１は、Probe要求メッセージを受信すると、Probe要求メッセージから固定局／移動局情報を取得する（ステップＳ１１）。通信部５１は、取得した固定局／移動局情報を選択部５２に送信する。
【００６４】
次に、選択部５２は、取得した固定局／移動局情報が固定局であるか否かを判定する（ステップＳ１２）。
取得した固定局／移動局情報が固定局である場合（ステップＳ１２のＹＥＳ）、ステップＳ１３に進む。
【００６５】
ステップS１３において、選択部５２は、取得した固定局／移動局情報が固定局である場合、ＣＬ３０及びＡＰ５０がサポートできる通信レートから最高通信レート、中間通信レート及び最低通信レートの３つの通信レートを選択する（ステップＳ１３）。選択部５２は、最高通信レートとして５４Ｍｂｐｓ、中間通信レートとして２４Ｍｂｐｓ及び最低通信レートとして６Ｍｂｐｓを選択する。選択部５２は、選択した通信レートを通信部５１に送信する。
【００６６】
一方、取得した固定局／移動局情報が移動局である場合（ステップＳ１２のＮＯ）、ステップＳ１４に進む。
ステップＳ１４において、選択部５２は、取得した固定局／移動局情報が移動局である場合、ＣＬ３０及びＡＰ５０がサポートできる全ての通信レートを選択する（ステップＳ１４）。
【００６７】
次に、通信部５１は、選択部５２が選択した通信レートを使用通信レート情報に設定して、Association応答メッセージに含めて通信部３１に送信する（ステップＳ１５）。そして、通信制御部３２は、使用通信レート情報に基づいて、通信部５１に通信を試行する。換言すると、ＣＬ３０及びＡＰ５０は、使用通信レート情報に含まれた通信レートのみで通信を行うように動作する。
【００６８】
次に、図５を用いて、ＣＬ４０とＡＰ５０との通信をリトライする際の動作例について説明する。ＣＬ４０は、移動局であるため、図５は、移動局である無線ＬＡＮ端末と、ＡＰ５０との動作例を説明する図である。図５に示す動作は、ＣＬ４０がＡＰ５０に接続が完了した直後、及びＣＬ４０がＡＰ５０と通信を確立した後に切断された直後に実行される。
【００６９】
まず、通信制御部４２は、使用通信レート情報に含まれる通信レートのうち、最も高い通信レートを用いてデータを送信する。ＣＬ４０に送信される使用通信レート情報に含まれる通信レートは、ＣＬ４０及びＡＰ５０がサポート出来る全ての通信レートである。そのため、通信制御部４２は、最高通信レートである５４Ｍｂｐｓを用いて、ＡＰ５０に通信を試行する。
【００７０】
通信制御部４２は、最高通信レートである５４Ｍｂｐｓを用いて、ＡＰ５０に通信を試行して、通信が確立できない場合、リトライ１回目として、最高通信レートである５４Ｍｂｐｓを用いて、ＡＰ５０に通信を試行する。
【００７１】
リトライ１回目の通信の試行が失敗した場合、通信制御部４２は、使用通信レート情報に含まれる通信レートであって、使用していない通信レートのうち、最も高い通信レートを用いてＡＰ５０に通信を試行する。つまり、通信制御部４２は、最高通信レートの次に通信レートが高い４８Ｍｂｐｓを用いてＡＰ５０に通信を試行する。
【００７２】
リトライ２回目の通信の試行が失敗した場合、通信制御部４２は、再度、４８Ｍｂｐｓを用いてＡＰ５０に通信を試行する。リトライ２回目の通信の試行が失敗した場合、通信制御部４２は、使用通信レート情報に含まれる通信レートであって、使用していない通信レートのうち、最も高い通信レートを用いてＡＰ５０に通信を試行する。つまり、通信制御部４２は、次に通信レートが高い３６Ｍｂｐｓを用いてＡＰ５０に通信を試行する。
【００７３】
以降、通信制御部４２は、使用通信レート情報に含まれる通信レートのうち、徐々に選択する通信レートが低くなるように通信レートを選択し、当該通信レートを用いた通信の試行が失敗した場合、１度リトライを行うことを繰り返す。そして、通信リトライがローミングを行う閾値等の所定回数に達した場合、通信制御部４２は、ＡＰ５０から他のＡＰにローミングを行う。なお、図５では、所定回数が１５であるとして図示している。
【００７４】
次に、図６を用いて、ＣＬ３０とＡＰ５０との通信をリトライする際の動作例について説明する。ＣＬ３０は、固定局であるため、図６は、固定局である無線ＬＡＮ端末と、ＡＰ５０との動作例を説明する図である。図６に示す動作は、ＣＬ３０がＡＰ５０に接続が完了した直後、及びＣＬ３０がＡＰ５０と通信を確立した後に切断された直後に実行される。なお、図６においてもローミングを行う所定回数は１５であるとする。
【００７５】
まず、通信制御部３２は、使用通信レート情報に含まれる通信レートのうち、最も高い通信レートを用いてデータを送信する。ＣＬ３０に送信される使用通信レート情報に含まれる通信レートは、最高通信レートである５４Ｍｂｐｓ、中間通信レートである２４Ｍｐｂｓ及び最低通信レートである６Ｍｂｐｓである。そのため、通信制御部３２は、最高通信レートである５４Ｍｂｐｓを用いて、ＡＰ５０に通信を試行する。
【００７６】
通信制御部３２は、最高通信レートである５４Ｍｂｐｓを用いて、ＡＰ５０に通信を試行して、通信が確立できない場合、リトライ１回目として、最高通信レートである５４Ｍｂｐｓを用いて、ＡＰ５０に通信を試行する。
【００７７】
リトライ１回目の通信の試行が失敗した場合、通信制御部３２は、使用通信レート情報に含まれる通信レートであって、使用していない通信レートのうち、最も高い通信レートを用いてＡＰ５０に通信を試行する。つまり、通信制御部３２は、最高通信レートの次に通信レートが高い２４Ｍｂｐｓを用いてＡＰ５０に通信を試行する。
【００７８】
三角の記号で示しているように、例えば、リトライ２回目の通信の試行において、ＡＰ５０は、送信したデータのうち、一部のデータが受信出来なかったとする。そうすると、通信制御部５３は、一部のデータが受信出来なかったことを示す情報又はメッセージを通信制御部３２に送信する。通信制御部５３は、ＡＰ５０との通信が確立出来ないことを認識する。通信制御部３２は、２４Ｍｂｐｓを用いて通信リトライを行わずに、最低通信レートである６Ｍｂｐｓを用いて、ＡＰ５０に通信を試行する。すなわち、通信制御部３２は、中間通信レートを用いて通信を試行して、試行が失敗した場合は、リトライを行わない。
【００７９】
通信制御部３２は、最低通信レートである６Ｍｂｐｓを用いた通信の試行が失敗した場合であって、ローミングを行う所定回数未満である場合、所定回数を超えるか、又はＡＰ５０との通信が確立するまで最低通信レートを用いて通信の試行を継続する。上述したように、無線通信は、通信レートが低い程、通信を確立し易いため、通信制御部３２は、ローミングを行う所定回数を超えるまで、最低通信レートを用いた通信の試行を継続する。そうすると、図６のリトライ５回目に示すように、ＣＬ３０は、所定回数を超過せずに、ＡＰ５０と通信を確立することが可能となる。つまり、このようにすることにより、ローミングが発生してしまう所定回数を超過する前にＣＬ３０は、ＡＰ５０との通信を確立することが可能となる。
【００８０】
以上説明したように、ＡＰ５０は、固定局であるＣＬ３０に対して、サポート可能な通信レートの全てを選択せずに、最高通信レート、中間通信レート及び最低通信レートのみを選択して、ＣＬ３０に送信する。上述したように、無線通信において、通信確立は通信レートが低い程、可能性が高くなるという特性を有している。そのため、ＣＬ３０及びＡＰ５０は、お互いがサポートする通信レートを順番に変えて通信するよりも、いきなり低レートで通信したほうがより速い段階で通信が確立することとなる。
【００８１】
また、ＣＬ３０は、中間通信レートを用いて通信を試行し、通信を確立することが出来ない場合、リトライを行わずに最低通信レートを用いた通信の試行を継続するように動作する。通信が確立し易くなるということは、通信リトライが発生しにくくなるので、ローミングが発生することを抑制することが可能となる。したがって、実施の形態２にかかる通信システム１００によれば、固定的に設置されるＣＬ３０がローミングしてしまうことを抑制することが可能となる。
【００８２】
固定局は一時的に電波の状態が変化し通信リトライが発生することはあるが、固定的に設置されているため、基本的に電波の状態が変化することは少なく、出来るだけ同じアクセスポイントに接続したほうが好ましい。実施の形態２にかかる通信システム１００によれば、固定的に設置されるＣＬ３０がローミングすることを抑制し、ＣＬ３０がＡＰ５０と通信を継続し続けられる状態を継続することが可能となる。
【００８３】
また、移動局であるＣＬ４０に対しては、高速な通信レートによる通信を行わせた方が好ましい。そのため、ＡＰ５０は、移動局であるＣＬ４０に対しては、使用通信レート情報にサポート出来る全ての通信レートに関する情報を設定してＣＬ４０に送信する。したがって、実施の形態２にかかる通信システム１００によれば、移動局であるＣＬ４０に対して、高速な通信レートによる通信を提供することが可能となる。
【００８４】
なお、上述の実施形態では、無線ＬＡＮ端末は、固定局である場合、「固定局」を設定した固定局／移動局情報をアクセスポイントに送信し、移動局である場合、「移動局」を設定した固定局／移動局情報をアクセスポイントに送信した。上述した実施の形態において、無線ＬＡＮ端末は、固定局である場合のみ、「固定局」であることを示す情報をアクセスポイントに送信し、移動局である場合は、「移動局」であることを示す情報をアクセスポイントに送信しないようにしてもよい。この場合、ＡＰ５０は、無線ＬＡＮ端末から「固定局」であることを示す情報を受信すると「固定局」であると判断し、「固定局」であることを示す情報を受信しないと「移動局」であると判断する。
【００８５】
（他の実施の形態）
上述した実施の形態において説明した無線ＬＡＮ端末１０、アクセスポイント２０、ＣＬ３０、ＣＬ４０及びＡＰ５０（以下、無線ＬＡＮ端末１０等と称する）は、次のようなハードウェア構成を有していてもよい。図７は、本開示の各実施の形態にかかる無線ＬＡＮ端末等を実現可能な、コンピュータ（情報処理装置）のハードウェア構成を例示するブロック図である。
【００８６】
図７を参照すると、無線ＬＡＮ端末１０等は、複数のアンテナ１２０１−１〜１２０１−Ｎ、ネットワーク・インターフェース１２０２、プロセッサ１２０３及びメモリ１２０４を含む。複数のアンテナ１２０１−１〜１２０１−Ｎ及びネットワーク・インターフェース１２０２は、通信端末６０を含む他の無線通信装置と通信するために使用される。ネットワーク・インターフェース１２０２は、例えば、IEEE 802.11 series、IEEE 802.3 series等に準拠したネットワークインターフェースカード（NIC）を含んでもよい。
【００８７】
プロセッサ１２０３は、メモリ１２０４からソフトウェア（コンピュータプログラム）を読み出して実行することで、上述の実施形態においてフローチャートを用いて説明された無線ＬＡＮ端末１０等の処理を行う。プロセッサ１２０３は、例えば、マイクロプロセッサ、MPU（Micro Processing Unit）、又はCPU（Central Processing Unit）であってもよい。プロセッサ１２０３は、複数のプロセッサを含んでもよい。
【００８８】
メモリ１２０４は、揮発性メモリ及び不揮発性メモリの組み合わせによって構成される。メモリ１２０４は、プロセッサ１２０３から離れて配置されたストレージを含んでもよい。この場合、プロセッサ１２０３は、図示されていないI/Oインターフェースを介してメモリ１２０４にアクセスしてもよい。
【００８９】
図７の例では、メモリ１２０４は、ソフトウェアモジュール群を格納するために使用される。プロセッサ１２０３は、これらのソフトウェアモジュール群をメモリ１２０４から読み出して実行することで、上述の実施形態において説明された無線ＬＡＮ端末１０等の処理を行うことができる。
【００９０】
図７を用いて説明したように、無線ＬＡＮ端末１０等が有するプロセッサの各々は、図面を用いて説明されたアルゴリズムをコンピュータに行わせるための命令群を含む１または複数のプログラムを実行する。
【００９１】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、非一時的なコンピュータ可読媒体の例は、ＣＤ−ＲＯＭ（Read Only Memory）、ＣＤ−Ｒ、ＣＤ−Ｒ／Ｗを含む。さらに、非一時的なコンピュータ可読媒体の例は、半導体メモリを含む。半導体メモリは、例えば、マスクＲＯＭ、ＰＲＯＭ（Programmable ROM）、ＥＰＲＯＭ（Erasable PROM）、フラッシュＲＯＭ、ＲＡＭ（Random Access Memory）を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９２】
なお、本開示は上記実施の形態に限られたものではなく、趣旨を逸脱しない範囲で適宜変更することが可能である。また、本開示は、それぞれの実施の形態を適宜組み合わせて実施されてもよい。
【００９３】
また、上記の実施形態の一部又は全部は、以下の付記のようにも記載されうるが、以下には限られない。
（付記１）
自装置が固定的に設置される固定局であるか否かを示す第１の情報を送信する無線ＬＡＮ端末と、
前記第１の情報が前記固定局であることを示す場合、前記無線ＬＡＮ端末との通信において設定可能な複数の通信レートのうち、最高通信レート及び最低通信レート含む通信レートを選択すると共に、前記選択された通信レートに関する第２の情報を前記無線ＬＡＮ端末に送信するアクセスポイントと、を備え、
前記無線ＬＡＮ端末は、前記第２の情報に含まれる通信レートに基づいて通信を試行する、通信システム。
（付記２）
前記アクセスポイントは、前記最高通信レート及び前記最低通信レートの間の通信レートを示す中間通信レートを選択する、付記１に記載の通信システム。
（付記３）
前記アクセスポイントは、複数の前記中間通信レートを選択する、付記２に記載の通信システム。
（付記４）
前記無線ＬＡＮ端末は、
前記第２の情報に含まれる通信レートのうちの第１の通信レートで通信が行えない場合、リトライ回数をインクリメントすると共に、前記第１の通信レートより低い第２の通信レートで通信を試行し、
前記リトライ回数が所定回数未満であって、前記最低通信レートで通信が行えない場合、前記リトライ回数が前記所定回数を超過するか又は通信が確立するまで、前記最低通信レートで通信の試行を継続する、付記１〜３のいずれか１項に記載の通信システム。
（付記５）
前記アクセスポイントは、前記第１の情報が前記固定局ではないことを示す場合、又は前記第１の情報を受信しない場合、前記無線ＬＡＮ端末との通信において設定可能な全ての通信レートに関する前記第２の情報を前記無線ＬＡＮ端末に送信する、付記１〜４のいずれか１項に記載の通信システム。
（付記６）
前記無線ＬＡＮ端末は、前記第１の情報を含むProbe要求メッセージを前記アクセスポイントに送信し、
前記アクセスポイントは、前記第２の情報を含むAssociation応答メッセージを前記無線ＬＡＮ端末に送信する、付記１〜５のいずれか１項に記載の通信システム。
（付記７）
無線ＬＡＮ端末が固定的に設置される固定局であるか否かを示す第１の情報を前記無線ＬＡＮ端末から受信する通信部と、
前記第１の情報が前記固定局であることを示す場合、前記無線ＬＡＮ端末との通信において設定可能な複数の通信レートのうち、最高通信レート及び最低通信レートを含む通信レートを選択する選択部と、を備え、
前記通信部は、前記選択された通信レートに関する第２の情報を前記無線ＬＡＮ端末に送信する、アクセスポイント。
（付記８）
前記選択部は、前記最高通信レート及び前記最低通信レートの間の通信レートを示す中間通信レートを選択する、付記７に記載のアクセスポイント。
（付記９）
前記選択部は、複数の前記中間通信レートを選択する、付記８に記載のアクセスポイント。
（付記１０）
前記選択部は、前記第１の情報が前記固定局ではないことを示す場合、又は前記第１の情報を受信しない場合、前記無線ＬＡＮ端末との通信において設定可能な全ての通信レートを選択する、付記７〜９のいずれか１項に記載のアクセスポイント。
（付記１１）
前記通信部は、前記第１の情報を含むProbe要求メッセージを前記無線ＬＡＮ端末から受信し、前記第２の情報を含むAssociation応答メッセージを前記無線ＬＡＮ端末に送信する、付記７〜９のいずれか１項に記載のアクセスポイント。
（付記１２）
自装置が固定的に設置される固定局であるか否かを示す第１の情報をアクセスポイントに送信すると共に、前記アクセスポイントとの通信に用いる通信レートに関する第２の情報を前記アクセスポイントから受信する通信部と、
前記第２の情報に含まれる通信レートに基づいて通信を試行する通信制御部と、を備える無線ＬＡＮ端末。
（付記１３）
前記通信制御部は、前記第２の情報に含まれる通信レートのうちの第１の通信レートで通信が行えない場合、リトライ回数をインクリメントすると共に、前記第１の通信レートより低い第２の通信レートで通信を試行し、
前記リトライ回数が所定回数未満であって、自装置が設定可能な通信レートのうちの最低通信レートで通信が行えない場合、前記リトライ回数が前記所定回数を超過するか又は通信が確立するまで、前記最低通信レートで通信の試行を継続する、付記１２に記載の無線ＬＡＮ端末。
（付記１４）
前記通信部は、前記第１の情報を含むProbe要求メッセージを前記アクセスポイントに送信し、前記第２の情報を含むAssociation応答メッセージを前記アクセスポイントから受信する、付記１２又は１３に記載の無線ＬＡＮ端末。
（付記１５）
無線ＬＡＮ端末が固定的に設置される固定局であるか否かを示す第１の情報を前記無線ＬＡＮ端末から受信することと、
前記第１の情報が前記固定局であることを示す場合、前記無線ＬＡＮ端末との通信において設定可能な複数の通信レートのうち、最高通信レート及び最低通信レートを含む通信レートを選択することと、
前記選択された通信レートに関する第２の情報を前記無線ＬＡＮ端末に送信することと、を含む通信制御方法。
（付記１６）
無線ＬＡＮ端末が固定的に設置される固定局であるか否かを示す第１の情報を前記無線ＬＡＮ端末から受信することと、
前記第１の情報が前記固定局であることを示す場合、前記無線ＬＡＮ端末との通信において設定可能な複数の通信レートのうち、最高通信レート及び最低通信レートを含む通信レートを選択することと、
前記選択された通信レートに関する第２の情報を前記無線ＬＡＮ端末に送信することと、をコンピュータに実行させる通信制御プログラム。
【符号の説明】
【００９４】
１  通信システム
１０  無線ＬＡＮ端末
１１、２１、３１、４１、５１  通信部
１２、３２、４２、５３  通信制御部
２０  アクセスポイント
２２、５２  選択部
３０、４０  ＣＬ（クライアント）
５０  ＡＰ（アクセスポイント）
【図１】
2020096274.tif 000003
【図２】
2020096274.tif 000004
【図３】
2020096274.tif 000005
【図４】
2020096274.tif 000006
【図５】
2020096274.tif 000007
【図６】
2020096274.tif 000008
【図７】
2020096274.tif 000009